(57)【要約】【課題】  デジタル万引きを防止できると共に、正規に書籍を購入した者が書籍の紙面を撮影することを可能とする。【解決手段】  情報処理装置において、カメラが読み込んだ紙面から電子透かしを検出し、電子透かしから処理禁止コードが検出されたならば、読み込んだ紙面の保存や出力を禁止する。一方、電子透かしから書籍識別情報が検出されたならば、これを情報処理装置識別情報及び事象採番情報と共にサーバに送信する。サーバは、書籍識別情報、重宝処理装置識別情報及び事象採番情報の登録状況を基に、処理禁止を解除するか否かを判断し、解除可と判断したならば、処理禁止解除コードを情報処理装置に送信する。情報処理装置は、処理禁止解除コードを入力したならば、読み込んだ紙面の保存や出力を行う。【選択図】        図１
2005151125.tif 000002
【特許請求の範囲】
【請求項１】
画像を入力する画像入力手段と、
前記画像に処理禁止コードを含む電子透かしが含まれているか否かを判断する判断手段と、
前記画像に前記処理禁止コードを含む電子透かしが含まれているならば、該画像に対する所定の処理を禁止する処理禁止手段と、
処理禁止解除コードを入力したならば、前記禁止を解除し、前記画像に対する前記所定の処理を可能にする禁止解除手段と、
を備えることを特徴とする情報処理装置。
【請求項２】
請求項１に記載の情報処理装置において、前記画像に対する前記所定の処理は前記画像の出力又は前記画像の保存であることを特徴とする情報処理装置。
【請求項３】
請求項１又は２に記載の情報処理装置において、
前記画像に含まれている電子透かしから、前記画像が含まれている画像集合体を識別するための画像集合体識別情報を抽出する画像集合体識別情報抽出手段と、
事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力手段と、
前記事象識別情報及び前記事象採番情報をサーバに送信する第１の送信手段と、
送信した前記事象識別情報及び前記事象採番情報に基づいて処理禁止解除の可否を判断した結果として処理禁止解除を可とした前記サーバから送信されてきた前記処理禁止解除コードを受信する第１の受信手段と、
を更に備えることを特徴とする情報処理装置。
【請求項４】
請求項３に記載の情報処理装置において、
前記事象識別情報をサーバに送信する第２の送信手段と、
送信した前記事象識別情報に基づいて処理禁止解除の可否を判断した結果として処理禁止解除を可とした前記サーバから送信されてきた前記処理禁止解除コードを受信する第２の受信手段と、
を更に備えることを特徴とする情報処理装置。
【請求項５】
請求項１又は２に記載の情報処理装置において、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、
事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力手段と、
前記事象識別情報、前記コンテンツ識別情報及び前記事象採番情報をサーバに送信する第１の送信手段と、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第１の受信手段と、
を更に備えることを特徴とする情報処理装置。
【請求項６】
請求項５に記載の情報処理装置において、
前記事象識別情報及び前記コンテンツ識別情報をサーバに送信する第２の送信手段と、
送信した前記事象識別情報及び前記コンテンツ識別情報に基づいてコンテンツ供給の可否を判断した結果としてコンテンツ供給を可とした前記サーバから送られてきたコンテンツ又は該コンテンツの所在情報を受信する第２の受信手段と、
を更に備えることを特徴とする情報処理装置。
【請求項７】
請求項１又は２に記載の情報処理装置において、
前記画像に含まれている電子透かしから、前記画像が含まれている画像集合体を識別するための画像集合体識別情報を抽出する画像集合体識別情報抽出手段と、
事象識別情報（前記画像集合体識別情報並びに当該情報処理装置を識別するための情報処理装置識別情報及び／又はユーザを識別するためのユーザ識別情報を組にしたもの）をサーバに送信する第１の送信手段と、
前記事象識別情報により識別される事象を採番するための事象採番情報を前記サーバから受信する第１の受信手段と、
前記第１の受信手段が受信した前記事象採番情報を格納する事象採番情報格納手段と、
を備えることを特徴とする情報処理装置。
【請求項８】
請求項７に記載の情報処理装置において、
前記事象識別情報及び前記事象採番情報格納手段に格納された前記事象採番情報を前記サーバに送信する第２の送信手段と、
送信した前記事象識別情報及び前記事象採番情報に基づいて処理禁止解除の可否を判断した結果として処理禁止解除を可とした前記サーバから送信されてきた前記処理禁止解除コードを受信する第２の受信手段と、
を更に備えることを特徴とする情報処理装置。
【請求項９】
請求項１又は２に記載の情報処理装置において、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、
事象識別情報（前記画像集合体識別情報並びに当該情報処理装置を識別するための情報処理装置識別情報及び／又はユーザを識別するためのユーザ識別情報を組にしたもの）及び前記コンテンツ識別情報をサーバに送信する第１の送信手段と、
前記事象識別情報により識別される事象を採番するための事象採番情報を前記サーバから受信する第１の受信手段と、
前記第１の受信手段が受信した前記事象採番情報を格納する事象採番情報格納手段と、
を備えることを特徴とする情報処理装置。
【請求項１０】
請求項９に記載の情報処理装置において、
前記事象識別情報、前記コンテンツ識別情報及び前記事象採番情報格納手段に格納された前記事象採番情報を前記サーバに送信する第２の送信手段と、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第２の受信手段と、
を更に備えることを特徴とする情報処理装置。
【請求項１１】
画像を入力する画像入力手段と、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、
事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力手段と、
前記事象識別情報、前記コンテンツ識別情報及び前記事象採番情報をサーバに送信する第１の送信手段と、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第１の受信手段と、
を更に備えることを特徴とする情報処理装置。
【請求項１２】
請求項１１に記載の情報処理装置において、
前記事象識別情報及び前記コンテンツ識別情報をサーバに送信する第２の送信手段と、
送信した前記事象識別情報及び前記コンテンツ識別情報に基づいてコンテンツ供給の可否を判断した結果としてコンテンツ供給を可とした前記サーバから送られてきたコンテンツ又は該コンテンツの所在情報を受信する第２の受信手段と、
を更に備えることを特徴とする情報処理装置。
【請求項１３】
画像を入力する画像入力手段と、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、
事象識別情報（前記画像集合体識別情報並びに当該情報処理装置を識別するための情報処理装置識別情報及び／又はユーザを識別するためのユーザ識別情報を組にしたもの）及び前記コンテンツ識別情報をサーバに送信する第１の送信手段と、
前記事象識別情報により識別される事象を採番するための事象採番情報を前記サーバから受信する第１の受信手段と、
前記第１の受信手段が受信した前記事象採番情報を格納する事象採番情報格納手段と、
を備えることを特徴とする情報処理装置。
【請求項１４】
請求項１３に記載の情報処理装置において、
前記事象識別情報、前記コンテンツ識別情報及び前記事象採番情報格納手段に格納された前記事象採番情報を前記サーバに送信する第２の送信手段と、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第２の受信手段と、
を更に備えることを特徴とする情報処理装置。
【請求項１５】
情報処理装置から送信されてきた事象識別情報（画像集合体識別情報並びに前記情報処理装置を識別するための情報処理装置識別情報及び／又はユーザを識別するためのユーザ識別情報を組にしたもの）及び前記事象識別情報により識別される事象を採番するための事象採番情報を受信する第１の受信手段と、
前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組としてまだ登録されていなければ、前記第１の受信手段が受信した前記事象識別情報及び前記事象採番情報を組として登録すると共に処理禁止解除コードを前記情報処理装置に送信し、
前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組として既に登録されていれば、前記処理禁止解除コードを前記情報処理装置に送信し、
前記第１の受信手段が受信した前記事象識別情報と異なる事象識別情報が前記第１の受信手段が受信した前記事象採番情報と組として既に登録されていれば、前記処理禁止解除コードを前記情報処理装置に送信しない第１の判断／登録／送信手段と、
を備えることを特徴とするサーバ。
【請求項１６】
請求項１５に記載のサーバにおいて、
前記情報処理装置から送信されてきた事象識別情報を受信する第２の受信手段と、
前記第２の受信手段が受信した前記事象識別情報が何れかの事象採番情報と組として登録されていれば、前記処理禁止解除コードを前記情報処理装置に送信する判断／送信手段と、
を更に備えることを特徴とするサーバ。
【請求項１７】
請求項１５に記載のサーバにおいて、
前記第１の受信手段は、更にコンテンツを識別するためのコンテンツ識別情報も受信し、
前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組としてまだ登録されていなければ、前記第１の受信手段が受信した前記事象識別情報及び前記事象採番情報を組として登録すると共に前記コンテンツ識別情報に対応するコンテンツ又は該コンテンツの所在情報を前記情報処理装置に送信し、
前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組として既に登録されていれば、前記コンテンツ識別情報に対応するコンテンツ又は該コンテンツの所在情報を前記情報処理装置に送信し、
前記第１の受信手段が受信した前記事象識別情報と異なる事象識別情報が前記第１の受信手段が受信した前記事象採番情報と組として既に登録されていれば、前記コンテンツ識別情報に対応するコンテンツ又は該コンテンツの所在情報の何れも送信しない第２の判断／登録／送信手段と、
を備えることを特徴とするサーバ。
【請求項１８】
請求項１７に記載のサーバにおいて、
前記情報処理装置から送信されてきた事象識別情報及びコンテンツ識別情報を受信する第２の受信手段と、
前記第２の受信手段が受信した前記事象識別情報が何れかの事象採番情報と組として登録されていれば、前記第２の受信手段が受信した前記コンテンツ識別情報に対応するコンテンツ又は該コンテンツの所在情報を前記情報処理装置に送信する判断／送信手段と、
を更に備えることを特徴とするサーバ。
【請求項１９】
情報処理装置から送信されてきた事象識別情報（画像集合体識別情報並びに前記情報処理装置を識別するための情報処理装置識別情報及び／又はユーザを識別するためのユーザ識別情報を組にしたもの）、コンテンツを識別するためのコンテンツ識別情報及び前記事象識別情報により識別される事象を採番するための事象採番情報を受信する第１の受信手段と、
前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組としてまだ登録されていなければ、前記第１の受信手段が受信した前記事象識別情報及び前記事象採番情報を組として登録すると共に前記コンテンツ識別情報に対応するコンテンツ又は該コンテンツの所在情報を前記情報処理装置に送信し、
前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組として既に登録されていれば、前記コンテンツ識別情報に対応するコンテンツ又は該コンテンツの所在情報を前記情報処理装置に送信し、
前記第１の受信手段が受信した前記事象識別情報と異なる事象識別情報が受信した前記事象採番情報と組として既に登録されていれば、前記コンテンツ識別情報に対応するコンテンツ又は該コンテンツの所在情報の何れも送信しない判断／登録／送信手段と、
を備えることを特徴とするサーバ。
【請求項２０】
請求項１９に記載のサーバにおいて、
前記情報処理装置から送信されてきた事象識別情報及びコンテンツ識別情報を受信する第２の受信手段と、
前記第２の受信手段が受信した前記事象識別情報が何れかの事象採番情報と組として登録されていれば、前記第２の受信手段が受信した前記コンテンツ識別情報に対応するコンテンツ又は該コンテンツの所在情報を前記情報処理装置に送信する判断／送信手段と、
を更に備えることを特徴とするサーバ。
【請求項２１】
情報処理装置から送信されてきた事象識別情報（画像集合体識別情報並びに前記情報処理装置を識別するための情報処理装置識別情報及び／又はユーザを識別するためのユーザ識別情報を組にしたもの）を受信する受信手段と、
前記事象識別情報により識別する事象を採番するための事象採番情報を生成する事象採番情報生成手段と、
前記事象採番情報により生成された前記事象採番情報を前記情報処理装置に送信する送信手段と、
を備えることを特徴とするサーバ。
【請求項２２】
情報処理装置から送信されてきた事象識別情報（画像集合体識別情報並びに前記情報処理装置を識別するための情報処理装置識別情報及び／又はユーザを識別するためのユーザ識別情報を組にしたもの）及び前記事象識別情報により識別される事象を採番するための事象採番情報を受信する受信手段と、
前記受信手段が受信した前記事象識別情報と異なる事象識別情報が前記第１の受信手段が受信した前記事象採番情報と組として既に登録されていなければ、処理禁止解除コードを前記情報処理装置に送信する判断／送信手段と、
を備えることを特徴とするサーバ。
【請求項２３】
情報処理装置から送信されてきた事象識別情報（画像集合体識別情報並びに前記情報処理装置を識別するための情報処理装置識別情報及び／又はユーザを識別するためのユーザ識別情報を組にしたもの）、コンテンツを識別するためのコンテンツ識別情報及び前記事象識別情報により識別される事象を採番するための事象採番情報を受信する受信手段と、
前記第１の受信手段が受信した前記事象識別情報と異なる事象識別情報が前記第１の受信手段が受信した前記事象採番情報と組として既に登録されていなければ、前記コンテンツ識別情報に対応するコンテンツ又は該コンテンツの所在情報を前記情報処理装置に送信する判断／送信手段と、
を備えることを特徴とするサーバ。
【請求項２４】
画像を入力する画像入力ステップと、
前記画像に処理禁止コードを含む電子透かしが含まれているか否かを判断する判断ステップと、
前記画像に前記処理禁止コードを含む電子透かしが含まれているならば、該画像に対する所定の処理を禁止する処理禁止ステップと、
処理禁止解除コードを入力したならば、前記禁止を解除し、前記画像に対する前記所定の処理を可能にする禁止解除ステップと、
を備えることを特徴とする情報処理方法。
【請求項２５】
請求項２４に記載の情報処理方法において、前記画像に対する前記所定の処理は前記画像の出力又は前記画像の保存であることを特徴とする情報処理方法。
【請求項２６】
請求項２４又は２５に記載の情報処理方法において、
前記画像に含まれている電子透かしから、前記画像が含まれている画像集合体を識別するための画像集合体識別情報を抽出する画像集合体識別情報抽出ステップと、
事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力ステップと、
前記事象識別情報及び前記事象採番情報をサーバに送信する第１の送信ステップと、
送信した前記事象識別情報及び前記事象採番情報に基づいて処理禁止解除の可否を判断した結果として処理禁止解除を可とした前記サーバから送信されてきた前記処理禁止解除コードを受信する第１の受信ステップと、
を更に備えることを特徴とする情報処理方法。
【請求項２７】
請求項２６に記載の情報処理方法において、
前記事象識別情報をサーバに送信する第２の送信ステップと、
送信した前記事象識別情報に基づいて処理禁止解除の可否を判断した結果として処理禁止解除を可とした前記サーバから送信されてきた前記処理禁止解除コードを受信する第２の受信ステップと、
を更に備えることを特徴とする情報処理方法。
【請求項２８】
請求項２４又は２５に記載の情報処理方法において、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出ステップと、
事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力ステップと、
前記事象識別情報、前記コンテンツ識別情報及び前記事象採番情報をサーバに送信する第１の送信ステップと、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第１の受信ステップと、
を更に備えることを特徴とする情報処理方法。
【請求項２９】
請求項２８に記載の情報処理方法において、
前記事象識別情報及び前記コンテンツ識別情報をサーバに送信する第２の送信ステップと、
送信した前記事象識別情報及び前記コンテンツ識別情報に基づいてコンテンツ供給の可否を判断した結果としてコンテンツ供給を可とした前記サーバから送られてきたコンテンツ又は該コンテンツの所在情報を受信する第２の受信ステップと、
を更に備えることを特徴とする情報処理方法。
【請求項３０】
請求項２４又は２５に記載の情報処理方法において、
前記画像に含まれている電子透かしから、前記画像が含まれている画像集合体を識別するための画像集合体識別情報を抽出する画像集合体識別情報抽出ステップと、
事象識別情報（前記画像集合体識別情報並びに当該情報処理装置を識別するための情報処理装置識別情報及び／又はユーザを識別するためのユーザ識別情報を組にしたもの）をサーバに送信する第１の送信ステップと、
前記事象識別情報により識別される事象を採番するための事象採番情報を前記サーバから受信する第１の受信ステップと、
前記第１の受信ステップが受信した前記事象採番情報を事象採番情報格納手段に格納する事象採番情報格納ステップと、
を備えることを特徴とする情報処理方法。
【請求項３１】
請求項３０に記載の情報処理方法において、
前記事象識別情報及び前記事象採番情報格納手段に格納された前記事象採番情報を前記サーバに送信する第２の送信ステップと、
送信した前記事象識別情報及び前記事象採番情報に基づいて処理禁止解除の可否を判断した結果として処理禁止解除を可とした前記サーバから送信されてきた前記処理禁止解除コードを受信する第２の受信ステップと、
を更に備えることを特徴とする情報処理方法。
【請求項３２】
請求項２４又は２５に記載の情報処理方法において、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出ステップと、
事象識別情報（前記画像集合体識別情報並びに当該情報処理装置を識別するための情報処理装置識別情報及び／又はユーザを識別するためのユーザ識別情報を組にしたもの）及び前記コンテンツ識別情報をサーバに送信する第１の送信ステップと、
前記事象識別情報により識別される事象を採番するための事象採番情報を前記サーバから受信する第１の受信ステップと、
前記第１の受信手段が受信した前記事象採番情報を事象採番情報格納手段に格納する事象採番情報格納ステップと、
を備えることを特徴とする情報処理方法。
【請求項３３】
請求項３２に記載の情報処理方法において、
前記事象識別情報、前記コンテンツ識別情報及び前記事象採番情報格納手段に格納された前記事象採番情報を前記サーバに送信する第２の送信ステップと、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第２の受信ステップと、
を更に備えることを特徴とする情報処理方法。
【請求項３４】
画像を入力する画像入力ステップと、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出ステップと、
事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力ステップと、
前記事象識別情報、前記コンテンツ識別情報及び前記事象採番情報をサーバに送信する第１の送信ステップと、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第１の受信ステップと、
を更に備えることを特徴とする情報処理方法。
【請求項３５】
請求項３４に記載の情報処理方法において、
前記事象識別情報及び前記コンテンツ識別情報をサーバに送信する第２の送信ステップと、
送信した前記事象識別情報及び前記コンテンツ識別情報に基づいてコンテンツ供給の可否を判断した結果としてコンテンツ供給を可とした前記サーバから送られてきたコンテンツ又は該コンテンツの所在情報を受信する第２の受信ステップと、
を更に備えることを特徴とする情報処理方法。
【請求項３６】
画像を入力する画像入力ステップと、
前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出ステップと、
事象識別情報（前記画像集合体識別情報並びに当該情報処理装置を識別するための情報処理装置識別情報及び／又はユーザを識別するためのユーザ識別情報を組にしたもの）及び前記コンテンツ識別情報をサーバに送信する第１の送信ステップと、
前記事象識別情報により識別される事象を採番するための事象採番情報を前記サーバから受信する第１の受信ステップと、
前記第１の受信ステップが受信した前記事象採番情報を事象採番情報格納手段に格納する事象採番情報格納ステップと、
を備えることを特徴とする情報処理方法。
【請求項３７】
請求項３６に記載の情報処理方法において、
前記事象識別情報、前記コンテンツ識別情報及び前記事象採番情報格納手段に格納された前記事象採番情報を前記サーバに送信する第２の送信ステップと、
送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第２の受信ステップと、
を更に備えることを特徴とする情報処理方法。
【請求項３８】
情報処理装置から送信されてきた事象識別情報（画像集合体識別情報並びに前記情報処理装置を識別するための情報処理装置識別情報及び／又はユーザを識別するためのユーザ識別情報を組にしたもの）及び前記事象識別情報により識別される事象を採番するための事象採番情報を受信する第１の受信ステップと、
前記第１の受信ステップが受信した前記事象識別情報と異なる事象識別情報が前記第１の受信ステップが受信した前記事象採番情報と組として既に登録されておらず、且つ、前記第１の受信ステップが受信した前記事象識別情報及び前記事象採番情報が組としてまだ登録されていなければ、前記第１の受信ステップが受信した前記事象識別情報及び前記事象採番情報を組として登録すると共に処理禁止解除コードを前記情報処理装置に送信し、
前記第１の受信ステップが受信した前記事象識別情報と異なる事象識別情報が前記第１の受信ステップが受信した前記事象採番情報と組として既に登録されておらず、且つ、前記第１の受信ステップが受信した前記事象識別情報及び前記事象採番情報が組として既に登録されていれば、前記処理禁止解除コードを前記情報処理装置に送信し、
前記第１の受信ステップが受信した前記事象識別情報と異なる事象識別情報が前記第１の受信ステップが受信した前記事象採番情報と組として既に登録されていれば、前記処理禁止解除コードを前記情報処理装置に送信しない第１の判断／登録／送信ステップと、
を備えることを特徴とするサービス提供方法。
【請求項３９】
請求項３８に記載のサービス提供方法において、
前記情報処理装置から送信されてきた事象識別情報を受信する第２の受信ステップと、
前記第２の受信ステップが受信した前記事象識別情報が何れかの事象採番情報と組として登録されていれば、前記処理禁止解除コードを前記情報処理装置に送信する判断／送信ステップと、
を更に備えることを特徴とするサービス提供方法。
【請求項４０】
請求項３８に記載のサービス提供方法において、
前記第１の受信ステップは、更にコンテンツを識別するためのコンテンツ識別情報も受信し、
前記第１の受信ステップが受信した前記事象識別情報と異なる事象識別情報が前記第１の受信ステップが受信した前記事象採番情報と組として既に登録されておらず、且つ、前記第１の受信ステップが受信した前記事象識別情報及び前記事象採番情報が組としてまだ登録されていなければ、前記第１の受信ステップが受信した前記事象識別情報及び前記事象採番情報を組として登録すると共に前記コンテンツ識別情報に対応するコンテンツ又は該コンテンツの所在情報を前記情報処理装置に送信し、
前記第１の受信ステップが受信した前記事象識別情報と異なる事象識別情報が前記第１の受信ステップが受信した前記事象採番情報と組として既に登録されておらず、且つ、前記第１の受信ステップが受信した前記事象識別情報及び前記事象採番情報が組として既に登録されていれば、前記コンテンツ識別情報に対応するコンテンツ又は該コンテンツの所在情報を前記情報処理装置に送信し、
前記第１の受信ステップが受信した前記事象識別情報と異なる事象識別情報が前記第１の受信ステップが受信した前記事象採番情報と組として既に登録されていれば、前記コンテンツ識別情報に対応するコンテンツ又は該コンテンツの所在情報の何れも送信しない第２の判断／登録／送信ステップと、
を備えることを特徴とするサービス提供方法。
【請求項４１】
請求項４０に記載のサービス提供方法において、
前記情報処理装置から送信されてきた事象識別情報及びコンテンツ識別情報を受信する第２の受信ステップと、
前記第２の受信ステップが受信した前記事象識別情報が何れかの事象採番情報と組として登録されていれば、前記第２の受信ステップが受信した前記コンテンツ識別情報に対応するコンテンツ又は該コンテンツの所在情報を前記情報処理装置に送信する判断／送信ステップと、
を更に備えることを特徴とするサービス提供方法。
【請求項４２】
情報処理装置から送信されてきた事象識別情報（画像集合体識別情報並びに前記情報処理装置を識別するための情報処理装置識別情報及び／又はユーザを識別するためのユーザ識別情報を組にしたもの）、コンテンツを識別するためのコンテンツ識別情報及び前記事象識別情報により識別される事象を採番するための事象採番情報を受信する第１の受信ステップと、
前記第１の受信ステップが受信した前記事象識別情報と異なる事象識別情報が前記第１の受信ステップが受信した前記事象採番情報と組として既に登録されておらず、且つ、前記第１の受信ステップが受信した前記事象識別情報及び前記事象採番情報が組としてまだ登録されていなければ、前記第１の受信ステップが受信した前記事象識別情報及び前記事象採番情報を組として登録すると共に前記コンテンツ識別情報に対応するコンテンツ又は該コンテンツの所在情報を前記情報処理装置に送信し、
前記第１の受信ステップが受信した前記事象識別情報と異なる事象識別情報が前記第１の受信ステップが受信した前記事象採番情報と組として既に登録されておらず、且つ、前記第１の受信ステップが受信した前記事象識別情報及び前記事象採番情報が組として既に登録されていれば、前記コンテンツ識別情報に対応するコンテンツ又は該コンテンツの所在情報を前記情報処理装置に送信し、
前記第１の受信ステップが受信した前記事象識別情報と異なる事象識別情報が受信した前記事象採番情報と組として既に登録されていれば、前記コンテンツ識別情報に対応するコンテンツ又は該コンテンツの所在情報の何れも送信しない判断／登録／送信ステップと、
を備えることを特徴とするサービス提供方法。
【請求項４３】
請求項４２に記載のサービス提供方法において、
前記情報処理装置から送信されてきた事象識別情報及びコンテンツ識別情報を受信する第２の受信ステップと、
前記第２の受信ステップが受信した前記事象識別情報が何れかの事象採番情報と組として登録されていれば、前記第２の受信ステップが受信した前記コンテンツ識別情報に対応するコンテンツ又は該コンテンツの所在情報を前記情報処理装置に送信する判断／送信ステップと、
を更に備えることを特徴とするサービス提供方法。
【請求項４４】
情報処理装置から送信されてきた事象識別情報（画像集合体識別情報並びに前記情報処理装置を識別するための情報処理装置識別情報及び／又はユーザを識別するためのユーザ識別情報を組にしたもの）を受信する受信ステップと、
前記事象識別情報により識別する事象を採番するための事象採番情報を生成する事象採番情報生成ステップと、
前記事象採番情報により生成された前記事象採番情報を前記情報処理装置に送信する送信ステップと、
を備えることを特徴とするサービス提供方法。
【請求項４５】
情報処理装置から送信されてきた事象識別情報（画像集合体識別情報並びに前記情報処理装置を識別するための情報処理装置識別情報及び／又はユーザを識別するためのユーザ識別情報を組にしたもの）及び前記事象識別情報により識別される事象を採番するための事象採番情報を受信する受信ステップと、
前記受信ステップが受信した前記事象識別情報と異なる事象識別情報が前記第１の受信ステップが受信した前記事象採番情報と組として既に登録されていなければ、処理禁止解除コードを前記情報処理装置に送信する判断／送信ステップと、
を備えることを特徴とするサービス提供方法。
【請求項４６】
情報処理装置から送信されてきた事象識別情報（画像集合体識別情報並びに前記情報処理装置を識別するための情報処理装置識別情報及び／又はユーザを識別するためのユーザ識別情報を組にしたもの）、コンテンツを識別するためのコンテンツ識別情報及び前記事象識別情報により識別される事象を採番するための事象採番情報を受信する受信ステップと、
前記第１の受信ステップが受信した前記事象識別情報と異なる事象識別情報が前記第１の受信ステップが受信した前記事象採番情報と組として既に登録されていなければ、前記コンテンツ識別情報に対応するコンテンツ又は該コンテンツの所在情報を前記情報処理装置に送信する判断／送信ステップと、
を備えることを特徴とするサービス提供方法。
【請求項４７】
コンピュータに請求項２４乃至４６のいずれか１項に記載の方法を行わせるためのプログラム。
【発明の詳細な説明】
【技術分野】
【０００１】
本発明は、入力した画像に対する処理の実行を禁止したり、許可したりする情報処理装置及びその禁止及び許可を制御するためのサーバ並びに入力した画像に対する処理の実行を禁止したり、許可したりする情報処理方法及びその禁止及び許可を制御するためのサービス提供方法に関する。
【０００２】
また、本発明は、入力した画像に対応するコンテンツの提供を受ける情報処理装置及びその提供を行うためのサーバ並びに入力した画像に対応するコンテンツの提供を受けるための情報処理方法及びその提供を行うためのサービス提供方法に関する。
【０００３】
特に、本発明は、書店等で販売されている書籍のデジタル万引きを禁止すると共に、正当な購買者には書籍の撮影を許可し、更に、コンテンツを提供する情報処理装置及びそのための制御を行うサーバ並びに書店等で販売されている書籍のデジタル万引きを禁止すると共に、正当な購買者には書籍の撮影を許可し、更にコンテンツを提供する情報処理方法及びそのための制御を行うサービス提供方法に関する。
【背景技術】
【０００４】
近年カメラを内蔵した携帯電話や携帯情報端末（ＰＤＡ(Personal Digital Assistant)等）が普及してきている。これに伴い、書店に置かれている書籍を購入せずに、その書籍の内容を携帯電話等のカメラで撮影する所謂デジタル万引きが社会問題となっている。
【０００５】
そこで、デジタル万引きされそうなページを袋綴じにする対策が考えられるが、そうするとコストが上昇し利益を圧迫する。また、シャッターを押した瞬間に電子的なシャッター音を鳴らす対策が考えられるが、デジタル万引き抑圧効果は必ずしも十分ではなく、また、設定によってシャッター音を鳴らさないようにもできてしまう。
【０００６】
そこで、書籍の紙面に電子透かしを挿入し、電子透かしが挿入されている画像を撮影した場合には、その画像を画面に表示したり内蔵メモリに保存できないようにすることが考えられる（例えば、非特許文献１参照。）。
【非特許文献１】「ＤＩＭＥ」２００３年９月１８日号、第６０ページ、小学館出版
【発明の開示】
【発明が解決しようとする課題】
【０００７】
しかし、そのような方法を用いた場合、デジタル万引きを防止することはできても、正規に書籍を購入した者が個人的又は家庭的に書籍の紙面を撮影しようとしてもそれができず、不都合である。一方、デジタル万引きを防止すると共に、このような不都合を解消すれば、書籍の販売数を増加させることが可能となる。
【０００８】
また、正規に書籍を購入したならば、書籍に関連付けられたコンテンツを入手できるようにすれば、書籍の販売数を増加させることが可能となる。
【０００９】
そこで、本発明は、デジタル万引きを防止できると共に、正規に書籍を購入した者が書籍の紙面を撮影することを可能とする情報処理装置及びサーバ並びに情報処理方法及びサービス提供方法を提供することを目的とする。
【００１０】
また、本発明は、正規に書籍を購入した者が書籍に関連付けられたコンテンツを入手することを可能とする情報処理装置及びサーバ並びに情報処理方法及びサービス提供方法を提供することを目的とする。
【課題を解決するための手段】
【００１１】
請求項１に記載の発明によれば、画像を入力する画像入力手段と、前記画像に処理禁止コードを含む電子透かしが含まれているか否かを判断する判断手段と、前記画像に前記処理禁止コードを含む電子透かしが含まれているならば、該画像に対する所定の処理を禁止する処理禁止手段と、処理禁止解除コードを入力したならば、前記禁止を解除し、前記画像に対する前記所定の処理を可能にする禁止解除手段と、を備えることを特徴とする情報処理装置が提供される。
【００１２】
請求項２に記載の発明によれば、請求項１に記載の情報処理装置において、前記画像に対する前記所定の処理は前記画像の出力又は前記画像の保存であることを特徴とする情報処理装置が提供される。
【００１３】
請求項３に記載の発明によれば、請求項１又は２に記載の情報処理装置において、前記画像に含まれている電子透かしから、前記画像が含まれている画像集合体を識別するための画像集合体識別情報を抽出する画像集合体識別情報抽出手段と、事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力手段と、前記事象識別情報及び前記事象採番情報をサーバに送信する第１の送信手段と、送信した前記事象識別情報及び前記事象採番情報に基づいて処理禁止解除の可否を判断した結果として処理禁止解除を可とした前記サーバから送信されてきた前記処理禁止解除コードを受信する第１の受信手段と、を更に備えることを特徴とする情報処理装置が提供される。
【００１４】
請求項４に記載の発明によれば、請求項３に記載の情報処理装置において、前記事象識別情報をサーバに送信する第２の送信手段と、送信した前記事象識別情報に基づいて処理禁止解除の可否を判断した結果として処理禁止解除を可とした前記サーバから送信されてきた前記処理禁止解除コードを受信する第２の受信手段と、を更に備えることを特徴とする情報処理装置が提供される。
【００１５】
請求項５に記載の発明によれば、請求項１又は２に記載の情報処理装置において、前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力手段と、前記事象識別情報、前記コンテンツ識別情報及び前記事象採番情報をサーバに送信する第１の送信手段と、送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第１の受信手段と、を更に備えることを特徴とする情報処理装置が提供される。
【００１６】
請求項６に記載の発明によれば、請求項５に記載の情報処理装置において、前記事象識別情報及び前記コンテンツ識別情報をサーバに送信する第２の送信手段と、送信した前記事象識別情報及び前記コンテンツ識別情報に基づいてコンテンツ供給の可否を判断した結果としてコンテンツ供給を可とした前記サーバから送られてきたコンテンツ又は該コンテンツの所在情報を受信する第２の受信手段と、を更に備えることを特徴とする情報処理装置が提供される。
【００１７】
請求項７に記載の発明によれば、請求項１又は２に記載の情報処理装置において、前記画像に含まれている電子透かしから、前記画像が含まれている画像集合体を識別するための画像集合体識別情報を抽出する画像集合体識別情報抽出手段と、事象識別情報（前記画像集合体識別情報並びに当該情報処理装置を識別するための情報処理装置識別情報及び／又はユーザを識別するためのユーザ識別情報を組にしたもの）をサーバに送信する第１の送信手段と、前記事象識別情報により識別される事象を採番するための事象採番情報を前記サーバから受信する第１の受信手段と、前記第１の受信手段が受信した前記事象採番情報を格納する事象採番情報格納手段と、を備えることを特徴とする情報処理装置が提供される。
【００１８】
請求項８に記載の発明によれば、請求項７に記載の情報処理装置において、前記事象識別情報及び前記事象採番情報格納手段に格納された前記事象採番情報を前記サーバに送信する第２の送信手段と、送信した前記事象識別情報及び前記事象採番情報に基づいて処理禁止解除の可否を判断した結果として処理禁止解除を可とした前記サーバから送信されてきた前記処理禁止解除コードを受信する第２の受信手段と、を更に備えることを特徴とする情報処理装置が提供される。
【００１９】
請求項９に記載の発明によれば、請求項１又は２に記載の情報処理装置において、前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、事象識別情報（前記画像集合体識別情報並びに当該情報処理装置を識別するための情報処理装置識別情報及び／又はユーザを識別するためのユーザ識別情報を組にしたもの）及び前記コンテンツ識別情報をサーバに送信する第１の送信手段と、前記事象識別情報により識別される事象を採番するための事象採番情報を前記サーバから受信する第１の受信手段と、前記第１の受信手段が受信した前記事象採番情報を格納する事象採番情報格納手段と、を備えることを特徴とする情報処理装置が提供される。
【００２０】
請求項１０に記載の発明によれば、請求項９に記載の情報処理装置において、前記事象識別情報、前記コンテンツ識別情報及び前記事象採番情報格納手段に格納された前記事象採番情報を前記サーバに送信する第２の送信手段と、送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第２の受信手段と、を更に備えることを特徴とする情報処理装置が提供される。
【００２１】
請求項１１に記載の発明によれば、画像を入力する画像入力手段と、前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、事象識別情報（前記画像集合体識別情報並びに当該情報処理装置を識別するための情報処理装置識別情報及び／又はユーザを識別するためのユーザ識別情報を組にしたもの）により識別される事象を採番するための事象採番情報を入力する事象採番情報入力手段と、前記事象識別情報、前記コンテンツ識別情報及び前記事象採番情報をサーバに送信する第１の送信手段と、送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第１の受信手段と、を更に備えることを特徴とする情報処理装置が提供される。
【００２２】
本発明の請求項１２に記載の発明によれば、請求項７に記載の情報処理装置において、前記事象識別情報及び前記コンテンツ識別情報をサーバに送信する第２の送信手段と、送信した前記事象識別情報及び前記コンテンツ識別情報に基づいてコンテンツ供給の可否を判断した結果としてコンテンツ供給を可とした前記サーバから送られてきたコンテンツ又は該コンテンツの所在情報を受信する第２の受信手段と、を更に備えることを特徴とする情報処理装置が提供される。
【００２３】
請求項１３に記載の発明によれば、画像を入力する画像入力手段と、前記画像に含まれている電子透かしから、前記画像が含まれている画像集合体を識別するための画像集合体識別情報及びコンテンツを識別するためのコンテンツ識別情報を抽出する画像集合体識別情報／コンテンツ識別情報抽出手段と、事象識別情報（前記画像集合体識別情報並びに当該情報処理装置を識別するための情報処理装置識別情報及び／又はユーザを識別するためのユーザ識別情報を組にしたもの）及び前記コンテンツ識別情報をサーバに送信する第１の送信手段と、前記事象識別情報により識別される事象を採番するための事象採番情報を前記サーバから受信する第１の受信手段と、前記第１の受信手段が受信した前記事象採番情報を格納する事象採番情報格納手段と、を備えることを特徴とする情報処理装置が提供される。
【００２４】
請求項１４に記載の発明によれば、請求項１３に記載の情報処理装置において、前記事象識別情報、前記コンテンツ識別情報及び前記事象採番情報格納手段に格納された前記事象採番情報を前記サーバに送信する第２の送信手段と、送信した前記事象識別情報、前記コンテンツ識別情報及び前記事象採番情報に基づいてコンテンツ供給の可否を判断した結果としてコンテンツ供給を可とした前記サーバから送られてきたコンテンツ又は該コンテンツの所在情報を受信する第２の受信手段と、を更に備えることを特徴とする情報処理装置が提供される。
【００２５】
本発明の請求項１５に記載の発明によれば、情報処理装置から送信されてきた事象識別情報（画像集合体識別情報並びに前記情報処理装置を識別するための情報処理装置識別情報及び／又はユーザを識別するためのユーザ識別情報を組にしたもの）及び前記事象識別情報により識別される事象を採番するための事象採番情報を受信する第１の受信手段と、前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組としてまだ登録されていなければ、前記第１の受信手段が受信した前記事象識別情報及び前記事象採番情報を組として登録すると共に処理禁止解除コードを前記情報処理装置に送信し、前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組として既に登録されていれば、前記処理禁止解除コードを前記情報処理装置に送信し、前記第１の受信手段が受信した前記事象識別情報と異なる事象識別情報が前記第１の受信手段が受信した前記事象採番情報と組として既に登録されていれば、前記処理禁止解除コードを前記情報処理装置に送信しない第１の判断／登録／送信手段と、を備えることを特徴とするサーバが提供される。
【００２６】
本発明の請求項１６に記載の発明によれば、請求項９に記載のサーバにおいて、前記情報処理装置から送信されてきた事象識別情報を受信する第２の受信手段と、前記第２の受信手段が受信した前記事象識別情報が何れかの事象採番情報と組として登録されていれば、前記処理禁止解除コードを前記情報処理装置に送信する判断／送信手段と、を更に備えることを特徴とするサーバが提供される。
【００２７】
請求項１７に記載の発明によれば、請求項９に記載のサーバにおいて、前記第１の受信手段は、更にコンテンツを識別するためのコンテンツ識別情報も受信し、前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組としてまだ登録されていなければ、前記第１の受信手段が受信した前記事象識別情報及び前記事象採番情報を組として登録すると共に前記コンテンツ識別情報に対応するコンテンツ又は該コンテンツの所在情報を前記情報処理装置に送信し、前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組として既に登録されていれば、前記コンテンツ識別情報に対応するコンテンツ又は該コンテンツの所在情報を前記情報処理装置に送信し、前記第１の受信手段が受信した前記事象識別情報と異なる事象識別情報が前記第１の受信手段が受信した前記事象採番情報と組として既に登録されていれば、前記コンテンツ識別情報に対応するコンテンツ又は該コンテンツの所在情報の何れも送信しない第２の判断／登録／送信手段と、を備えることを特徴とするサーバが提供される。
【００２８】
請求項１８に記載の発明によれば、請求項１１に記載のサーバにおいて、前記情報処理装置から送信されてきた事象識別情報及びコンテンツ識別情報を受信する第２の受信手段と、前記第２の受信手段が受信した前記事象識別情報が何れかの事象採番情報と組として登録されていれば、前記第２の受信手段が受信した前記コンテンツ識別情報に対応するコンテンツ又は該コンテンツの所在情報を前記情報処理装置に送信する判断／送信手段と、を更に備えることを特徴とするサーバが提供される。
【００２９】
請求項１９に記載の発明によれば、情報処理装置から送信されてきた事象識別情報（画像集合体識別情報並びに前記情報処理装置を識別するための情報処理装置識別情報及び／又はユーザを識別するためのユーザ識別情報を組にしたもの）、コンテンツを識別するためのコンテンツ識別情報及び前記事象識別情報により識別される事象を採番するための事象採番情報を受信する第１の受信手段と、前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組としてまだ登録されていなければ、前記第１の受信手段が受信した前記事象識別情報及び前記事象採番情報を組として登録すると共に前記コンテンツ識別情報に対応するコンテンツ又は該コンテンツの所在情報を前記情報処理装置に送信し、前記第１の受信手段が受信した前記事象識別情報と異なる事象識別情報が前記第１の受信手段が受信した前記事象採番情報と組として既に登録されておらず、且つ、前記第１の受信手段が受信した前記事象識別情報及び前記事象採番情報が組として既に登録されていれば、前記コンテンツ識別情報に対応するコンテンツ又は該コンテンツの所在情報を前記情報処理装置に送信し、前記第１の受信手段が受信した前記事象識別情報と異なる事象識別情報が受信した前記事象採番情報と組として既に登録されていれば、前記コンテンツ識別情報に対応するコンテンツ又は該コンテンツの所在情報の何れも送信しない判断／登録／送信手段と、を備えることを特徴とするサーバが提供される。
【００３０】
請求項２０に記載の発明によれば、請求項１３に記載のサーバにおいて、前記情報処理装置から送信されてきた事象識別情報及びコンテンツ識別情報を受信する第２の受信手段と、前記第２の受信手段が受信した前記事象識別情報が何れかの事象採番情報と組として登録されていれば、前記第２の受信手段が受信した前記コンテンツ識別情報に対応するコンテンツ又は該コンテンツの所在情報を前記情報処理装置に送信する判断／送信手段と、を更に備えることを特徴とするサーバが提供される。
【００３１】
請求項２１に記載の発明によれば、情報処理装置から送信されてきた事象識別情報（画像集合体識別情報並びに前記情報処理装置を識別するための情報処理装置識別情報及び／又はユーザを識別するためのユーザ識別情報を組にしたもの）を受信する受信手段と、前記事象識別情報により識別する事象を採番するための事象採番情報を生成する事象採番情報生成手段と、前記事象採番情報により生成された前記事象採番情報を前記情報処理装置に送信する送信手段と、を備えることを特徴とするサーバが提供される。
【００３２】
請求項２２に記載の発明によれば、情報処理装置から送信されてきた事象識別情報（画像集合体識別情報並びに前記情報処理装置を識別するための情報処理装置識別情報及び／又はユーザを識別するためのユーザ識別情報を組にしたもの）及び前記事象識別情報により識別される事象を採番するための事象採番情報を受信する受信手段と、前記受信手段が受信した前記事象識別情報と異なる事象識別情報が前記第１の受信手段が受信した前記事象採番情報と組として既に登録されていなければ、処理禁止解除コードを前記情報処理装置に送信する判断／送信手段と、を備えることを特徴とするサーバが提供される。
【００３３】
請求項２３に記載の発明によれば、情報処理装置から送信されてきた事象識別情報（画像集合体識別情報並びに前記情報処理装置を識別するための情報処理装置識別情報及び／又はユーザを識別するためのユーザ識別情報を組にしたもの）、コンテンツを識別するためのコンテンツ識別情報及び前記事象識別情報により識別される事象を採番するための事象採番情報を受信する受信手段と、前記第１の受信手段が受信した前記事象識別情報と異なる事象識別情報が前記第１の受信手段が受信した前記事象採番情報と組として既に登録されていなければ、前記コンテンツ識別情報に対応するコンテンツ又は該コンテンツの所在情報を前記情報処理装置に送信する判断／送信手段と、を備えることを特徴とするサーバが提供される。
【発明の効果】
【００３４】
請求項１に記載の発明によれば、処理禁止手段によりデジタル万引きを防止でき、禁止解除手段により正当購買者については画像に対する処理を行うことが可能となる。
【００３５】
請求項３に記載の発明によれば、事象識別情報及び事象採番情報を用いているので、暗号鍵を用いた暗号方式によらなくても、処理禁止の解除の可否を制御することが可能となる。
【００３６】
請求項４に記載の発明によれば、事象採番情報を用いなくてもよいので、ユーザが２度目以降に事象採番情報を入力する手間を省くことができる。
【００３７】
請求項５に記載の発明によれば、事象識別情報、コンテンツ識別情報及び事象採番情報を用いているので、正当購買者のみにコンテンツを提供することが可能となる。
【００３８】
請求項６に記載の発明によれば、事象採番情報を用いなくてもよいので、ユーザが２度目以降に事象採番情報を入力する手間を省くことができる。
【００３９】
請求項７乃至１０に記載の発明によれば、事象識別情報及び事象採番情報を用いているので、暗号鍵を用いた暗号方式によらなくても、処理禁止の解除の可否を制御することが可能となる。また、ユーザが書店において事象採番情報を記録した記録媒体の引き渡しを受ける必要がなく、また、ユーザが事象採番情報を情報処理装置に入力する操作をする必要がないので、煩わしさが無くなる。
【００４０】
請求項１１に記載の発明によれば、事象識別情報、コンテンツ識別情報及び事象採番情報を用いているので、正当購買者のみにコンテンツを提供することが可能となる。
【００４１】
請求項１２に記載の発明によれば、事象採番情報を用いなくてもよいので、ユーザが２度目以降に事象採番情報を入力する手間を省くことができる。
【００４２】
請求項１３又は１４に記載の発明によれば、事象識別情報及び事象採番情報を用いているので、暗号鍵を用いた暗号方式によらなくても、処理禁止の解除の可否を制御することが可能となる。また、ユーザが書店において事象採番情報を記録した記録媒体の引き渡しを受ける必要がなく、また、ユーザが事象採番情報を情報処理装置に入力する操作をする必要がないので、煩わしさが無くなる。
【００４３】
請求項１５に記載の発明によれば、事象識別情報と事象採番情報の登録状態に応じて禁止解除コードの送信の可否を判断しているので、正当購買者のみが禁止解除コードを入手することが可能となる。
【００４４】
請求項１６に記載の発明によれば、事象採番情報を用いなくてもよいので、ユーザが２度目以降に事象採番情報を入力する手間を省くことができる。
【００４５】
請求項１７に記載の発明によれば、事象識別情報及び事象採番情報の登録状態に応じてコンテンツを提供するので、正当購買者のみにコンテンツを提供することが可能となる。
【００４６】
請求項１８に記載の発明によれば、事象採番情報を用いなくてもよいので、ユーザが２度目以降に事象採番情報を入力する手間を省くことができる。
【００４７】
請求項１９に記載の発明によれば、事象識別情報及び事象採番情報の登録状態に応じてコンテンツを提供するので、正当購買者のみにコンテンツを提供することが可能となる。
【００４８】
請求項２０に記載の発明によれば、事象採番情報を用いなくてもよいので、ユーザが２度目以降に事象採番情報を入力する手間を省くことができる。
【００４９】
請求項２１に記載の発明によれば、事象識別情報及び事象採番情報を用いているので、暗号鍵を用いた暗号方式によらなくても、処理禁止の解除の可否を制御することが可能となる。また、ユーザが書店において事象採番情報を記録した記録媒体の引き渡しを受ける必要がなく、また、ユーザが事象採番情報を情報処理装置に入力する操作をする必要がないので、煩わしさが無くなる。
【発明を実施するための最良の形態】
【００５０】
以下、図面を参照して本発明を実施するための最良の形態について詳細に説明する。
【００５１】
［実施形態１］
図１は、本発明の実施形態１による携帯電話、携帯情報端末、パーソナルコンピュータ等の情報処理装置の構成を示すブロック図である。
【００５２】
図１を参照すると、本発明の実施形態１による情報処理装置は、カメラ１０１、電子透かし検出部１０３、処理禁止コード抽出部１０５、書籍識別情報抽出部１０７、コンテンツ識別情報抽出部１０９、情報処理装置識別情報保持部１１１、ユーザ識別情報入力部１１３、事象採番情報入力部１１５、送信部１１７、受信部１１９、コード抽出部１２１、判断部１２３、処理部１２５、コンテンツ抽出部１２７、コンテンツ所在情報抽出部１２９及びコンテンツアクセス部１３１を備える。
【００５３】
カメラ１０１は、画像を入力し、特に、本実施形態では、書籍の紙面を撮影する。図２に示すように、カメラ１０１が撮影する書籍５０１の紙面には、通常の画像や文字と共に処理禁止コード、書籍識別情報、コンテンツ識別情報が電子透かしの形態で印刷されている。電子透かしとしては、本出願の出願人が出願した特願２００２−１６５６２８の明細書及び図面に記載した電子透かし挿入装置で挿入したものを用いることができる。処理禁止コードは、カメラ１０１が入力した画像に対する処理を禁止させるためのものである。処理としては、例えば、紙面画像の画面への表示、紙面画像の保存等があげられる。書籍識別情報は、書籍を識別するための情報であり、例えば、ＩＳＢＮ(International Standard Book Number)が付されている書籍の場合にはＩＳＢＮ、雑誌の場合には雑誌コードと号を表すコードを組み合わせたものである。コンテンツ識別情報とは、書籍に記載されている文字や画像に関連付けられたコンテンツを少なくともその書籍の範囲で識別するための情報である。
【００５４】
出版者は、紙面画像に対する処理を誰に対しても禁止したいページに処理禁止コードのみを含む電子透かしを挿入する。また、デジタル万引きを防止したいが、正当な購入者に対しては、紙面画像に対する処理を許可したい場合には、当該ページに処理禁止コード及び書籍識別情報のみを含む電子透かしを挿入する。更に、デジタル万引きを防止ししたいが、正当な購入者に対しては、紙面に対する処理を許可すると共に紙面の内容に関連したコンテンツを提供したい場合には、当該ページに処理禁止コード、書籍識別情報及びコンテンツ識別情報を含む電子透かしを挿入する。また、当該ページに処理禁止コード、書籍識別情報及びコンテンツ識別情報を含む電子透かしを挿入した場合には、コンテンツ識別情報を挿入した領域毎に紙面画像に対する処理の禁止／許可を制御してもよい。図２に示すように、処理禁止コード及び書籍識別情報は、紙面全体にわたり分布させ、紙面の一部を撮影した場合であっても全体を撮影した場合であっても検出できるようにする。コンテンツ識別情報は、ページ全体に分布させてもよいが、コラム毎に異なったものであってもよい。
【００５５】
電子透かし検出部１０３は、カメラ１０１が入力した画像に含まれている電子透かしを検出する。電子透かしを検出する方法としては、本出願の出願人が出願した特願２００２−１６５６２８の明細書及び図面に記載した電子透かし検出方法を用いることができる。
【００５６】
処理禁止コード抽出部１０５は、電子透かし検出部１０３が検出した電子透かしから処理禁止コードを抽出するための処理を行う。書籍識別情報抽出部１０７は、電子透かし検出部１０３が検出した電子透かしから書籍識別情報を抽出するための処理を行う。コンテンツ識別情報抽出部１０９は、電子透かし検出部１０３が検出した電子透かしからコンテンツ識別情報を抽出するための処理を行う。
【００５７】
情報処理装置識別情報保持部１１１は、情報処理装置の識別情報（情報処理装置識別情報）を保持する。情報処理識別情報は、例えば、携帯電話の場合であれば、携帯電話の機器コード、携帯情報端末やパーソナルコンピュータの場合であれば、ＣＰＵのＩＤやオペレーティングシステムのＩＤ等である。
【００５８】
ユーザ識別情報入力部１１３は、ユーザ識別情報を入力する。ユーザ識別情報は、例えば、ユーザの指紋情報、虹彩情報、声紋等のバイオメトリックス情報である。
【００５９】
事象採番情報入力部１１５は、事象採番情報を入力する。事象採番情報とは、書籍識別情報及び情報処理装置識別情報の組合せより成る事象を採番するための情報である。書籍識別情報及び情報処理装置の組合せの代わりに、書籍識別情報及びユーザ識別情報の組合せ又は書籍識別情報、情報処理装置識別情報及びユーザ識別情報の組合せを用いてもよい。組合せにユーザ識別情報を含ませれば、情報処理装置を友人等に貸して、不正を行うということを防止することができる。事象採番情報は、１つの種類（例えば、雑誌「○○マガジン」の何月何日号）の全ての書籍を個々に区別できるようなものであればよく、例えば、１で始まり１つの種類の書籍の出版部数で終わる範囲の数字（所謂シリアル番号）としてもよい。
【００６０】
事象採番情報は、例えば、メモリカードに格納しておいてもよく、この場合には、事象採番情報入力部１１５はメモリカードリーダである。また、事象採番情報は、電子透かしを印刷した印刷物であってもよく、この場合には、事象採番情報入力部１１５はカメラ（カメラ１０１が兼ねていてもよい。）及び電子透かし検出部（電子透かし検出部１０３が兼ねていてもよい。）を備える。
【００６１】
事象採番情報を記録したメモリカードや印刷物等の記録媒体は、書店において書籍購入時に有償又は無償で購買者であるユーザに引き渡される。
【００６２】
事象採番情報を１つの種類の書籍のシリアル番号とする代わりに、本実施形態によるシステムを運用する組織が管理する書籍間で共用されるシリアル番号としてもよい。このような場合には、各シリアル番号を使い回しできるように、書籍を発売した日から一定期間の有効期限を設定しておき、その有効期限が経過したならば、シリアル番号を再利用する。また、シリアル番号を記録した記録媒体が書店に返却され、さらに運用組織に戻ってきたならば、そのシリアル番号を再利用するようにしてもよい。但し、この場合であっても、記録媒体の返却が完全に行われなくても限られた数のシリアル番号で運用できるようにするために、シリアル番号に有効期限を設定しておくことが好ましい。有効期限が終了したシリアル番号を含むレコードは、データベース２１５（後述）から削除され、新たに登録されることを待つこととなる。
【００６３】
送信部１１７は、図３に示すように、書籍識別情報抽出部１０７が抽出した書籍識別情報、情報処理装置識別情報保持部１１１が保持している情報処理装置識別情報及び／又はユーザ識別情報入力部１１３が入力したユーザ識別情報並びに事象採番情報入力部１１５が入力した事象採番情報をサーバに送信する。また、コンテンツ識別情報抽出部１０９が電子透かし検出部１０３が検出した電子透かしからコンテンツ識別情報を抽出した場合には、送信部１１７は、コンテンツ識別情報もサーバに送信する。
【００６４】
受信部１１９は、送信部１１７が送信した情報に対してサーバから返信されてきたコードを受信する。このコードは、処理禁止解除コード又は不正処理コードである。処理禁止解除コードは、カメラ１０１が入力した画像に対する処理の禁止を解除するためのコードである。このコードには、どの書籍から入力した画像に対するどの情報処理装置による処理の禁止を解除してよいのかを識別するために、書籍識別情報及び情報処理装置識別情報を含ませてもよい。また、このコードには、どの書籍から入力した画像に対するどのユーザによる処理の禁止を解除してよいのかを識別するために、書籍識別情報及びユーザ識別情報を含ませてもよい。このコードには、どの書籍から入力した画像に対するどのユーザによるどの情報処理装置による処理の禁止を解除してよいのかを識別するために、書籍識別情報、情報処理装置識別情報及びユーザ識別情報を含ませてもよい。不正処理コードは、カメラ１０１が入力した画像に対する処理の禁止を解除しない（禁止する）ためのコードである。このコードには、どの書籍から入力した画像に対するどの情報処理装置による処理を禁止するのかを識別するために、書籍識別情報及び情報処理装置識別情報を含ませてもよい。また、このコードには、どの書籍から入力した画像に対するどのユーザによる処理を禁止するのかを識別するために、書籍識別情報及びユーザ識別情報を含ませてもよい。このコードには、どの書籍から入力した画像に対するどのユーザによるどの情報処理装置による処理を禁止するのかを識別するために、書籍識別情報、情報処理装置識別情報及びユーザ識別情報を含ませてもよい。
【００６５】
また、受信部１１９は、サーバからコンテンツ又はコンテンツの所在情報を受信する。コンテンツは、例えば、画像、音楽、音声、文字データ等である。コンテンツの所在情報は、例えば、画像、音楽、音声、文字データ等のあるホームページのＵＲＬ(Uniform Resource Locator)である。
【００６６】
コード抽出部１２１は、受信部１１９がコードを受信した場合には、そのコードを抽出する。
【００６７】
判断部１２３は、電子透かし検出部１０３が電子透かしを検出しなかった場合には、処理部１２５による入力画像に対する処理を許可する。また、処理禁止コード抽出部１０５が処理禁止コードを抽出しなかった場合には、処理部１２５による入力画像に対する処理を許可する。更に、判断部１２３は、処理禁止コード抽出部１０５が処理禁止コードを検出し、且つ、コード抽出部１２１が処理禁止解除コードを検出した場合には、処理部１２５による入力画像に対する処理を許可する。一方、判断部１２３は、処理禁止コード抽出部１０５が処理禁止コードを検出し、且つ、コード抽出部１２１が不正処理コードを検出した場合には、処理部１２５による入力画像に対する処理を禁止する。
【００６８】
コンテンツ抽出部１２７は、受信部１１９がサーバからコンテンツを受信した場合には、そのコンテンツを抽出する。コンテンツ所在情報抽出部１２９は、受信部１１９がサーバからコンテンツ所在情報を受信した場合には、そのコンテンツ所在情報を抽出する。コンテンツアクセス部１３１は、コンテンツ所在情報抽出部１２９が抽出したコンテンツ所在情報に基づいてコンテンツにアクセスする。
【００６９】
図４は、本発明の実施形態１によるサーバの構成を示すブロック図である。
【００７０】
図４を参照すると、本発明の実施形態１によるサーバは、受信部２０１、書籍識別情報抽出部２０３、コンテンツ識別情報抽出部２０５、情報処理装置識別情報抽出部２０７、ユーザ識別情報抽出部２０９、事象採番情報抽出部２１１、判断／登録部２１３、データベース２１５及び送信部２１７を備える。
【００７１】
受信部２０１は、情報処理装置の送信部１１７から送られてきた前述の情報群を受信する。書籍識別情報抽出部２０３は、受信部２０１が受信した情報群から書籍識別情報を抽出する。コンテンツ識別情報抽出部２０５は、受信部２０１が受信した情報群にコンテンツ識別情報が含まれている場合には、その情報群からコンテンツ識別情報を抽出する。情報処理装置識別情報抽出部２０７は、受信部２０１が受信した情報群に情報処理装置識別情報が含まれている場合には、その情報群から情報処理装置識別情報を抽出する。ユーザ識別情報抽出部２０９は、受信部２０１が受信した情報群にユーザ識別情報が含まれている場合には、その情報群からユーザ識別情報を抽出する。事象採番情報抽出部２１１は、受信部２０１が受信した情報群に事象採番情報が含まれている場合には、その情報群から事象採番情報を抽出する。
【００７２】
判断／登録部２１３は、書籍識別情報抽出部２０３が抽出した書籍識別情報、コンテンツ識別情報抽出部２０５が必要に応じて抽出したコンテンツ識別情報、情報処理装置識別情報抽出部２０７が必要に応じて抽出した情報処理装置識別情報、事象採番情報抽出部２１１が必要に応じて抽出した事象採番情報を基に、データベース２１５に格納されている内容を参照して、必要に応じて、書籍識別情報、情報処理装置識別情報、ユーザ識別情報及び事象採番情報をデータベース２１５に格納し、更に、処理禁止解除コードを送信部２１７から送信するべきか又は不正処理コードを送信部２１７から送信すべきかを破断し、必要に応じて送信部２１７から送信するコンテンツ又はコンテンツの所在情報をデータベース２１５から読み出す。
【００７３】
データベース２１５は、書籍識別情報並びに情報処理装置識別情報及び／又はユーザ識別情報の組を事象採番情報と関連付けて格納する。また、データベース２１５は、書籍識別情報、コンテンツ識別情報の組をコンテンツ又はコンテンツ所在情報と関連付けて格納する。また、データベース２１５は、書籍識別情報、コンテンツ識別情報の組を更に期限、処理許可／禁止フラグと関連付けて格納する。
【００７４】
送信部２１７は、判断／登録部２１３が処理禁止解除コードを送信するべきであると判断した場合には、処理禁止解除コードを情報処理装置に送信し、判断／登録部２１３が不正処理コードを送信するべきであると判断した場合には、不正処理コードを情報処理装置に送信し、判断／登録部２１３がコンテンツ又はコンテンツ所在情報を送信するべきであると判断した場合には、コンテンツ又はコンテンツ所在情報を情報処理装置に送信し、判断／登録部２１３がコンテンツもコンテンツ所在情報も送信しないべきであると判断した場合には、コンテンツ無しコードを情報処理装置に送信する。
【００７５】
次に、図５を参照して、情報処理装置の動作の前半部について説明する。
【００７６】
図５を参照すると、まず、カメラ１０１が書籍の紙面の画像を入力する（ステップＳ３０１）。次に、判断部１２３は、処理部１２５による入力画像に対する処理を禁止する（ステップＳ３０２）。次に、電子透かし検出部１０３は、カメラ１０１が入力した画像から電子透かしを検出するための処理を行う（ステップＳ３０３）。次に、判断部１２３は、電子透かしを検出できたか否かを判断し（ステップＳ３０５）、電子透かしを検出できなかったことが判断されたならば（ステップＳ３０５でＮＯ）、処理部１２５による入力画像に対する処理を許可し（ステップＳ３４７）、処理を終了する。
【００７７】
電子透かしを検出できたことが判断されたならば（ステップＳ３０５でＹＥＳ）、処理禁止コード抽出部１０５は、電子透かしから処理禁止コードを抽出するための処理を行う（ステップＳ３０７）。次に、判断部１２３は、処理禁止コードを検出できたか否かを判断し（ステップＳ３０９）、処理禁止コードを検出できなかったことが判断されたならば（ステップＳ３０９でＮＯ）、処理部１２５による入力画像に対する処理を許可し（ステップＳ３４９）、処理を終了する。
【００７８】
処理禁止コードを検出できたことが判断されたならば（ステップＳ３０９でＹＥＳ）、書籍識別情報抽出部１０７は、電子透かしから書籍識別情報を抽出するための処理を行う（ステップＳ３１０）。次に、判断部１２３は、書籍識別情報を検出できたか否かを判断し（ステップＳ３１１）、書籍識別情報を検出できなかったことが判断されたならば（ステップＳ３１１でＮＯ）、処理部１２５による入力画像に対する処理を禁止し（ステップＳ３５１）、処理を終了する。
【００７９】
書籍識別情報を検出できたことが判断されたならば（ステップＳ３１１でＹＥＳ）、コンテンツ識別情報抽出部１０９は、電子透かしからコンテンツ識別情報を抽出するための処理を行う（ステップＳ３１３）。なお、電子透かしには、コンテンツ識別情報が含まれていない場合もあり、このような場合には、コンテンツ識別情報を抽出できない。
【００８０】
次に、情報処理装置識別情報保持部１１１から情報処理装置識別情報を読み込み、及び／又は、ユーザ識別情報入力部１１３がユーザ識別情報を入力する（ステップＳＳ３１５）。
【００８１】
次に、事象採番情報入力部１１５は、事象採番情報を入力するための処理を行う（ステップＳ３１７）。次に、送信部１１７は、事象採番情報を入力することができたか否かを判断する（ステップＳ３１９）。
【００８２】
事象採番情報を入力できたことが判断されたならば（ステップＳ３１９でＹＥＳ）、送信部１１７は、書籍識別情報、情報処理装置識別情報及び／又はユーザ識別情報並びに事象採番情報をサーバに送信する（ステップＳ３２１）また、ステップＳ３１３でコンテンツ識別情報を抽出できていた場合には、送信部１１７は、コンテンツ識別情報もサーバに送信する。
【００８３】
事象採番情報を入力できなかったことが判断されたならば（ステップＳ３１９でＮＯ）、送信部１１７は、書籍識別情報並びに情報処理装置識別情報及び／又はユーザ識別情報をサーバに送信する（ステップＳ３２３）。また、ステップＳ３１３でコンテンツ識別情報を抽出できていた場合には、送信部１１７は、コンテンツ識別情報もサーバに送信する。
【００８４】
次に、図６〜９を参照して、サーバの動作について説明する。
【００８５】
まず、受信部２０１は、情報処理装置がステップＳ３２１又はステップＳ３２３で送信した情報群を受信し、書籍識別情報抽出部２０３は、受信部２０１が受信した情報群から書籍識別情報を抽出する。コンテンツ識別情報抽出部２０５は、受信部２０１が受信した情報群にコンテンツ識別情報が含まれている場合には、その情報群からコンテンツ識別情報を抽出する。情報処理装置識別情報抽出部２０７は、受信部２０１が受信した情報群に情報処理装置識別情報が含まれている場合には、その情報群から情報処理装置識別情報を抽出する。ユーザ識別情報抽出部２０９は、受信部２０１が受信した情報群にユーザ識別情報が含まれている場合には、その情報群からユーザ識別情報を抽出する。事象採番情報抽出部２１１は、受信部２０１が受信した情報群に事象採番情報が含まれている場合には、その情報群から事象採番情報を抽出する（ステップＳ４０１）。
【００８６】
次に、判断／登録部２１３は、受信した情報群に事象採番情報が含まれているか否かを判断する（ステップＳ４０３）。受信した情報群に事象採番情報が含まれていない場合には（ステップＳ４０３でＮＯ）、ステップＳ４４７（図９参照）に進む。
【００８７】
受信した情報群に事象採番情報が含まれている場合には（ステップＳ４０３でＹＥＳ）、受信した事象識別情報と異なる事象識別情報が受信した事象採番情報と組としてデータベース２１５に既に登録されているか否かを判断する（ステップＳ４０５）。受信した事象識別情報と異なる事象識別情報が受信した事象採番情報と組としてデータベース２１５に既に登録されている場合には（ステップＳ４０５でＹＥＳ）、送信部２１７は、不正検出コードを情報処理装置に送信し（ステップＳ４０７）、コンテンツ無しコードを情報処理装置に送信し（ステップＳ４０８）、処理を終了する。
【００８８】
受信した事象識別情報と異なる事象識別情報が受信した事象採番情報と組としてデータベース２１５に既に登録されているのでない場合には（ステップＳ４０５でＮＯ）、判断／登録部２１３は、受信した事象識別情報及び受信した事象採番情報の組がデータベース２１５に既に登録されているのか否かを判断する（ステップＳ４０９）。受信した事象識別情報及び受信した事象採番情報の組がデータベース２１５に既に登録されているのではない場合には（ステップＳ４０９でＮＯ）、ステップＳ４２７に進む。
【００８９】
受信した事象識別情報及び受信した事象採番情報の組がデータベース２１５に既に登録されている場合には（ステップＳ４０９でＹＥＳ）、判断／登録部２１３は、受信情報群にコンテンツ識別情報が含まれているか否かを判断する（ステップＳ４１１）。受信情報群にコンテンツ識別情報が含まれていない場合には（ステップＳ４１１でＮＯ）、送信部２１７は、処理禁止解除コードを情報処理装置に送信し（ステップＳ４１３）、コンテンツ無しコードを情報処理装置に送信する（ステップＳ４１４）。
【００９０】
受信情報群にコンテンツ識別情報が含まれている場合には（ステップＳ４１１でＹＥＳ）、判断／登録部２１３は、受信した書籍識別情報及びコンテンツ識別情報を書籍識別情報及びコンテンツ識別情報として有するレコードをデータベース２１５から検索し、当該レコードに格納されている処理許可／禁止フラグ及び期限を参照して、当該処理許可／禁止フラグがセットされており（処理許可を示しており）、且つ、本日が期限内であるか否かを判断する（ステップＳ４１５）。当該処理許可／禁止フラグがセットされており、且つ、本日が期限内である場合には（ステップＳ４１５でＹＥＳ）、送信部２１７は、処理禁止解除コードを情報処理装置に送信する（ステップＳ４１７）。一方、当該処理許可／禁止フラグがリセットされており（処理禁止を示しており）、又は、本日が期限を経過している場合には（ステップＳ４１５でＮＯ）、送信部２１７は、不正処理コードを情報処理装置に送信する。
【００９１】
次に、判断／登録部２１３は、受信した書籍識別情報及びコンテンツ識別情報を書籍識別情報及びコンテンツ識別情報として有するレコードをデータベース２１５から検索し、当該レコードのコンテンツ又はコンテンツ所在情報のフィールドと期限のフィールドとを参照して、当該レコードにコンテンツ又はコンテンツ所在情報があり、且つ、本日が期限内であるか否かを判断する（ステップＳ４２１）。当該レコードにコンテンツ又はコンテンツ所在情報があり、且つ、本日が期限内である場合には（ステップＳ４２１でＹＥＳ）、送信部２１７は、コンテンツ又はコンテンツ所在情報を情報処理装置に送信する（ステップＳ４２３）。一方、当該レコードにコンテンツもコンテンツ所在情報もなく、又は、本日が期限を経過している場合には（ステップＳ４２１でＮＯ）、送信部２１７は、コンテンツ無しコードを情報処理装置に送信する。
【００９２】
ステップＳ４０９でＮＯである場合にはステップＳ４２７に進む。また、ステップＳ４１３、Ｓ４２３、Ｓ４２５からは無条件にステップＳ４２７に進む。ステップＳ４２７では、受信した事象識別情報及び受信した事象採番情報の組がデータベース２１５において未登録であるか否かを判断する。未登録でない（既に登録されている）場合には（ステップＳ４２７でＮＯ）、処理を終了する。但し、ステップＳ４０３及びステップＳ４０９を経てステップＳ４２７に進んでいるので、実際には、ステップ４２７でＮＯとなる場合はない。
【００９３】
未登録である場合には（ステップＳ４２７でＹＥＳ）、受信した事象識別情報及び受信した事象採番情報を組としてデータベース２１５に登録する（ステップＳ４２９）。
【００９４】
ステップＳ４２９の後には、ステップＳ４３１〜Ｓ４４５が行われるが、ステップＳ４３１〜Ｓ４４５は、ステップＳ４１１〜Ｓ４２５と同様であるので、ステップＳ４３１〜４４５についての説明を省略する。
【００９５】
ステップＳ４０３でＮＯである場合には、ステップＳ４４７に進む。ステップＳ４４７では、ステップＳ４０１で受信した事象識別情報が何れかの事象採番情報と組として既に登録されているのかを判断する。既に登録されているのではない場合には（ステップＳ４４７でＮＯ）、未登録であるとして、送信部２１７は不正検出コードを情報処理装置に送信する（ステップＳ４４９）。
【００９６】
既に登録されている場合には（ステップＳ４４７でＹＥＳ）、ステップＳ４５１〜Ｓ４６５が行われるが、ステップＳ４５１〜４６５は、ステップＳ４１１〜Ｓ４２５と同様であるので、ステップＳ４５１〜４６５についての説明を省略する。
【００９７】
このようにして、サーバの動作は終了する。
【００９８】
次に、図１０を参照して、情報処理置の動作の後半部について説明する。
【００９９】
図１０を参照すると、ステップＳ３２１又はＳ３２３の次に、受信部１１９は、サーバからコードを受信し、コード抽出部１２１は、コードを抽出する（ステップＳ３２５）。次に、判断部１２３は、受信したコードが、処理禁止解除コードであるのか、又は、不正処理コードであるのかを判断する（ステップＳ３２７）。受信したコードが、処理禁止解除コードであると判断した場合には（ステップＳ３２７でＹＥＳ）、判断部１２３は、処理部１２５による入力画像に対する処理を許可して、（ステップＳ３２９でＹＥＳ）、ステップＳ３３５に進む。一方、受信したコードが、不正処理コードであると判断した場合には（ステップＳ３２７でＮＯ）、直接、ステップＳ３３５に進む。
【０１００】
ステップＳ３２９又はＳ３３１の次に、受信部１１９は、コンテンツ若しくはコンテンツ所在情報又はコンテンツ無しコードを受信する（ステップＳ３３５）。
【０１０１】
次に、コンテンツ抽出部１２７は、コンテンツを受信したか否かを判断し（ステップＳ３３７）、コンテンツを受信したことを判断した場合には、コンテンツを抽出する（ステップＳ３３９）。
【０１０２】
次に、コンテンツ所在情報抽出部１２９は、コンテンツ所在情報を受信したか否かを判断し（ステップＳ３４１）、コンテンツ所在情報を受信したことを判断した場合には、コンテンツ所在情報抽出部１２９は、コンテンツ所在情報を抽出し（ステップＳ３４３）、コンテンツアクセス部１３１は、コンテンツにアクセスする（ステップＳ３４５）。
【０１０３】
このようにして情報処理装置の動作は終了する。
【０１０４】
次に、具体的な動作例について図１１を参照して説明する。なお、この具体例においては、事象識別情報は、書籍識別情報及び情報処理装置識別情報により構成されているとする。
【０１０５】
まず、情報処理装置識別情報がＤ１である情報処理装置が書籍識別情報がＢ１である書籍の紙面を読み込み、事象採番情報Ｎ１を入力し、当該情報処理装置が書籍識別情報Ｂ１、情報処理装置識別情報Ｄ１及び事象採番情報Ｎ１の組をサーバに送信する。これは正当な動作である。この場合、サーバは、この組をデータベース２１５に登録し、処理を許可するために処理禁止解除コードを当該情報処理装置に送信する。
【０１０６】
次に、情報処理装置識別情報がＤ１である情報処理装置が書籍識別情報がＢ２である書籍の紙面に印刷されている書籍識別情報Ｂ２を読み込み、事象採番情報Ｎ１を入力し、当該情報処理装置が書籍識別情報Ｂ２、情報処理装置識別情報Ｄ１及び事象採番情報Ｎ１の組をサーバに送信する。これは、既に使用した事象採番情報Ｎ１を別の書籍について使用するので、不正な動作である。この場合、サーバは、この組のデータベース２１５への登録を拒否し、処理を禁止させるために不正処理コードを当該情報処理装置に送信する。
【０１０７】
次に、情報処理装置識別情報がＤ２である情報処理装置が書籍識別情報がＢ１である書籍の紙面に印刷されている書籍識別情報Ｂ１を読み込み、事象採番情報Ｎ１を入力し、当該情報処理装置が書籍識別情報Ｂ１、情報処理装置識別情報Ｄ２及び事象採番情報Ｎ１の組をサーバに送信する。これは、既に使用した事象採番情報を別の情報処理装置について使用するので、不正な動作である。この場合、サーバは、この組のデータベース２１５への登録を拒否し、処理を禁止させるために不正処理コードを当該情報処理装置に送信する。
【０１０８】
次に、情報処理装置識別情報がＤ３である情報処理装置が書籍識別情報がＢ３である書籍の紙面に印刷されている書籍識別情報Ｂ３を読み込み、事象採番情報Ｎ１を入力し、当該情報処理装置が書籍識別情報Ｂ３、情報処理装置識別情報Ｄ３及び事象採番情報Ｎ１の組をサーバに送信する。これは、既に使用した事象採番情報を別の書籍及び別の情報処理装置について使用するので、不正な動作である。この場合、サーバは、この組のデータベース２１５への登録を拒否し、処理を禁止させるために不正処理コードを当該情報処理装置に送信する。
【０１０９】
次に、情報処理装置識別情報がＤ１である情報処理装置が書籍識別情報がＢ１である書籍の紙面に印刷されている書籍識別情報Ｂ１を再度読み込み、事象採番情報Ｎ２を入力し、当該情報処理装置が書籍識別情報Ｂ１、情報処理装置識別情報Ｄ１及び事象採番情報Ｎ２の組をサーバに送信する。これは、１つの事象に重複した事象採番情報を割り当てることとなるが、正当な動作である。この場合、サーバは、この組をデータベース２１５に登録し、処理を許可させるために処理禁止解除コードを当該情報処理装置に送信する。
【０１１０】
次に、情報処理装置識別情報がＤ１である情報処理装置が書籍識別情報がＢ１である書籍の紙面に印刷されている書籍識別情報Ｂ１を再度読み込み、事象採番情報Ｎ１を再度入力し、当該情報処理装置が書籍識別情報Ｂ１、情報処理装置識別情報Ｄ１及び事象採番情報Ｎ１の組を再度サーバに送信する。これは重複する動作であるが正当な動作である。この場合、サーバは、処理を許可するために処理禁止解除コードを当該情報処理装置に送信する。
【０１１１】
次に、情報処理装置識別情報がＤ１である情報処理装置が書籍識別情報がＢ１である書籍の紙面に印刷されている書籍識別情報Ｂ１を再度読み込み、当該情報処理装置が書籍識別情報Ｂ１及び情報処理装置識別情報Ｄ１の組をサーバに送信する。これは、正当な動作である。この場合、サーバは、処理を許可するために処理禁止解除コードを当該情報処理装置に送信する。これは、書籍識別情報及び情報処理装置識別情報が正当に事象採番情報と共にデータベース２１５に登録された後には、書籍識別情報及び情報処理装置識別情報のみを情報処理装置からサーバに送信すればよく、事象採番情報を情報処理装置からサーバに送信する必要がないことを示す。こうすれば、ユーザは、毎回事象採番情報を読み込むという労力をかける必要が無く、初回のみに事象採番情報を読み込めば済むこととなる。
【０１１２】
次に、情報処理装置識別情報がＤ１である情報処理装置が書籍識別情報がＢ２である書籍の紙面に印刷されている書籍識別情報Ｂ２を読み込み、当該情報処理装置が書籍識別情報Ｂ２及び情報処理識別情報Ｄ１の組をサーバに送信する。これは、不正な動作である。この場合、サーバは、処理を禁止するために不正処理コードを当該情報処理装置に送信する。
【０１１３】
次に、情報処理装置識別情報がＤ２である情報処理装置が書籍識別情報がＢ１である書籍の紙面に印刷されている書籍識別情報Ｂ１を読み込み、当該情報処理装置が書籍識別情報Ｂ１及び情報処理装置識別情報Ｄ２の組をサーバに送信する。これは、不正な動作である。この場合、サーバは、処理を禁止するために不正処理コードを当該情報処理装置に送信する。
【０１１４】
次に、情報処理装置識別情報がＤ３である情報処理装置が書籍識別情報がＢ３である書籍の紙面に印刷されている書籍識別情報Ｂ３を読み込み、当該情報処理装置が書籍識別情報Ｂ３及び情報処理装置識別情報Ｄ３の組をサーバに送信する。これは、不正な動作である。この場合、サーバは、処理を禁止するために不正処理コードを当該情報処理装置に送信する。
【０１１５】
次に、具体的な別の動作例について図１２を参照して説明する。なお、この具体例においては、事象識別情報は、書籍識別情報及び情報処理装置識別情報により構成されているとする。
【０１１６】
まず、情報処理装置識別情報がＤ１である情報処理装置が書籍識別情報がＢ１である書籍の紙面に印刷されている書籍識別情報Ｂ１及びコンテンツ識別情報Ｃ１を読み込み、事象採番情報Ｎ１を入力し、当該情報処理装置が書籍識別情報Ｂ１、情報処理装置識別情報Ｄ１、コンテンツ識別情報Ｃ１及び事象採番情報Ｎ１の組をサーバに送信する。これは正当な動作である。この場合、サーバは、この組をデータベース２１５に登録し、処理を許可するために処理禁止解除コードを当該情報処理装置に送信し、コンテンツ識別情報に対応するコンテンツ又はコンテンツ所在情報を当該情報処理装置に送信する。
【０１１７】
次に、情報処理装置識別情報がＤ１である情報処理装置が書籍識別情報がＢ２である書籍の紙面に印刷されている書籍識別情報Ｂ２及びコンテンツ識別情報Ｃ２を読み込み、事象採番情報Ｎ１を入力し、当該情報処理装置が書籍識別情報Ｂ２、情報処理装置識別情報Ｄ１、コンテンツ識別情報Ｃ２及び事象採番情報Ｎ１の組をサーバに送信する。これは、既に使用した事象採番情報Ｎ１を別の書籍について使用するので、不正な動作である。この場合、サーバは、この組のデータベース２１５への登録を拒否し、処理を禁止させるために不正処理コードを当該情報処理装置に送信し、また、コンテンツ無しコードを当該情報処理装置に送信する。
【０１１８】
次に、情報処理装置識別情報がＤ２である情報処理装置が書籍識別情報がＢ１である書籍の紙面に印刷されている書籍識別情報Ｂ１及びコンテンツ識別情報Ｃ３を読み込み、事象採番情報Ｎ１を入力し、当該情報処理装置が書籍識別情報Ｂ１、情報処理装置識別情報Ｄ２、コンテンツ識別情報Ｃ３及び事象採番情報Ｎ１の組をサーバに送信する。これは、既に使用した事象採番情報を別の情報処理装置について使用するので、不正な動作である。この場合、サーバは、この組のデータベース２１５への登録を拒否し、処理を禁止させるために不正処理コードを当該情報処理装置に送信し、また、コンテンツ無しコードを当該情報処理装置に送信する。
【０１１９】
次に、情報処理装置識別情報がＤ３である情報処理装置が書籍識別情報がＢ３である書籍の紙面に印刷されている書籍識別情報Ｂ３及びコンテンツ識別情報Ｃ４を読み込み、事象採番情報Ｎ１を入力し、当該情報処理装置が書籍識別情報Ｂ３、情報処理装置識別情報Ｄ３、コンテンツ識別情報Ｃ４及び事象採番情報Ｎ１の組をサーバに送信する。これは、既に使用した事象採番情報を別の書籍及び別の情報処理装置について使用するので、不正な動作である。この場合、サーバは、この組のデータベース２１５への登録を拒否し、処理を禁止させるために不正処理コードを当該情報処理装置に送信し、また、コンテンツ無しコードを当該情報処理装置に送信する。
【０１２０】
次に、情報処理装置識別情報がＤ１である情報処理装置が書籍識別情報がＢ１である書籍の紙面に印刷されている書籍識別情報Ｂ１及びコンテンツ識別情報Ｃ５を読み込み、事象採番情報Ｎ２を入力し、当該情報処理装置が書籍識別情報Ｂ１、情報処理装置識別情報Ｄ１、コンテンツ識別情報Ｃ５及び事象採番情報Ｎ２の組をサーバに送信する。これは、１つの事象に重複した事象採番情報を割り当てることとなるが、正当な動作である。この場合、サーバは、この組をデータベース２１５に登録し、処理を許可させるために処理禁止解除コードを当該情報処理装置に送信し、コンテンツ識別情報Ｃ５に対応するコンテンツ又はコンテンツ所在情報を当該情報処理装置に送信する。
【０１２１】
次に、情報処理装置識別情報がＤ１である情報処理装置が書籍識別情報がＢ１である書籍の紙面に印刷されている書籍識別情報Ｂ１及びコンテンツ識別情報Ｃ６を読み込み、事象採番情報Ｎ１を再度入力し、当該情報処理装置が書籍識別情報Ｂ１、情報処理装置識別情報Ｄ１、コンテンツ識別情報Ｃ６及び事象採番情報Ｎ１の組を再度サーバに送信する。これは重複する動作であるが正当な動作である。この場合、サーバは、処理を許可するために処理禁止解除コードを当該情報処理装置に送信し、コンテンツ識別情報Ｃ６に対応するコンテンツ又はコンテンツ所在情報を当該情報処理装置に送信する。
【０１２２】
次に、情報処理装置識別情報がＤ１である情報処理装置が書籍識別情報がＢ１である書籍の紙面に印刷されている書籍識別情報Ｂ１及びコンテンツ識別情報Ｃ７を再度読み込み、当該情報処理装置が書籍識別情報Ｂ１、コンテンツ識別情報Ｃ７及び情報処理装置識別情報Ｄ１の組をサーバに送信する。これは、正当な動作である。この場合、サーバは、処理を許可するために処理禁止解除コードを当該情報処理装置に送信し、コンテンツ識別情報Ｃ７に対応するコンテンツ又はコンテンツ所在情報を当該情報処理装置に送信する。これは、書籍識別情報及び情報処理装置識別情報が正当に事象採番情報と共にデータベース２１５に登録された後には、書籍識別情報及び情報処理装置識別情報のみを情報処理装置からサーバに送信すればよく、事象採番情報を情報処理装置からサーバに送信する必要がないことを示す。こうすれば、ユーザは、毎回事象採番情報を読み込むという労力をかける必要が無く、初回のみに事象採番情報を読み込めば済むこととなる。
【０１２３】
次に、情報処理装置識別情報がＤ１である情報処理装置が書籍識別情報がＢ２である書籍の紙面に印刷されている書籍識別情報Ｂ２及びコンテンツ識別情報Ｃ８を読み込み、当該情報処理装置が書籍識別情報Ｂ２、コンテンツ識別情報Ｃ８及び情報処理識別情報Ｄ１の組をサーバに送信する。これは、不正な動作である。この場合、サーバは、処理を禁止するために不正処理コードを当該情報処理装置に送信し、コンテンツ無しコードを当該情報処理装置に送信する。
【０１２４】
次に、情報処理装置識別情報がＤ２である情報処理装置が書籍識別情報がＢ１である書籍の紙面に印刷されている書籍識別情報Ｂ１及びコンテンツ識別情報Ｃ９を読み込み、当該情報処理装置が書籍識別情報Ｂ１、コンテンツ識別情報Ｃ９及び情報処理装置識別情報Ｄ２の組をサーバに送信する。これは、不正な動作である。この場合、サーバは、処理を禁止するために不正処理コードを当該情報処理装置に送信し、コンテンツ無しコードを当該情報処理装置に送信する。
【０１２５】
次に、情報処理装置識別情報がＤ３である情報処理装置が書籍識別情報がＢ３である書籍の紙面に印刷されている書籍識別情報Ｂ３及びコンテンツ識別情報Ｃ１０を読み込み、当該情報処理装置が書籍識別情報Ｂ３、コンテンツ識別情報Ｃ１０及び情報処理装置識別情報Ｄ３の組をサーバに送信する。これは、不正な動作である。この場合、サーバは、処理を禁止するために不正処理コードを当該情報処理装置に送信し、コンテンツ無しコードを当該情報処理装置に送信する。
【０１２６】
［実施形態２］
実施形態１では、情報処理装置が事象採番情報を入力し、サーバに送信することとしている。これに対し、実施形態２では、サーバが事象採番情報を生成する。
【０１２７】
図１３は、本発明の実施形態２による情報処理装置の構成を示すブロック図である。図１と図１３を比較すると明らかなように、実施形態２による情報処理装置が実施形態２による情報処理装置と異なる点は、事象採番情報入力部１１５が削除され、事象採番情報保持部５０１が追加されている点である。
【０１２８】
事象採番情報保持部５０１は、サーバから送られてきた事象採番情報を格納する。送信部１１７は、事象採番情報保持部５０１に事象採番情報が格納されている場合には、事象識別情報をサーバに送信する時に、事象採番情報保持部５０１に格納されている事象採番情報もサーバに送信する。
【０１２９】
図１４は、本発明の実施形態２によるサーバの構成を示すブロック図である。図４と図１４を比較すると明らかなように、実施形態２によるサーバが実施形態１によるサーバと異なる点は、事象採番情報生成部５０２及び課金部５０３が追加されている点である。事象採番情報生成部５０２は、情報処理装置から送信されてきた情報に事象採番情報が含まれていない場合に、判断／登録部２１３による指示により事象採番情報を生成する。事象採番情報生成部５０２により生成された事象採番情報は、判断／登録部２１３を介して、事象識別情報と共にデータベース２１５に登録される。また、事象採番情報生成部５０２により生成された事象採番情報は、送信部２１７を介して情報処理装置に送信される。課金部５０３は、事象採番情報生成部５０２が事象採番情報を生成した時に、ユーザに対して課金する。
【０１３０】
次に、図１５を参照して、情報処理装置の動作の前半部について説明する。
【０１３１】
ステップＳ６０１、Ｓ６０２、Ｓ６０３、Ｓ６０５、Ｓ６４７、Ｓ６０７、Ｓ６０９、Ｓ６４９、Ｓ６１０、Ｓ６１１、Ｓ６５１、Ｓ６１３、Ｓ６１５は、実施形態１の情報処理装置が行うステップＳ３０１、Ｓ３０２、Ｓ３０３、Ｓ３０５、Ｓ３４７、Ｓ３０７、Ｓ３０９、Ｓ３４９、Ｓ３１０、Ｓ３１１、Ｓ３５１、Ｓ３１３、Ｓ３１５と同一であるので、重複する説明は省略する。
【０１３２】
ステップＳ６１３の次に、事象採番情報保持部５０１から事象採番情報を読み出すための処理を行う（ステップＳ６１７）。
【０１３３】
事象採番情報を読み出せたことが判断されたならば（ステップＳ６１９でＹＥＳ）、送信部１１７は、書籍識別情報、情報処理装置識別情報及び／又はユーザ識別情報並びに事象採番情報をサーバに送信する（ステップＳ６２１）また、ステップＳ６１３でコンテンツ識別情報を抽出できていた場合には、送信部１１７は、コンテンツ識別情報もサーバに送信する。
【０１３４】
事象採番情報を読み出せなかったことが判断されたならば（ステップＳ６１９でＮＯ）、送信部１１７は、書籍識別情報並びに情報処理装置識別情報及び／又はユーザ識別情報をサーバに送信する（ステップＳ６２３）。また、ステップＳ３１３でコンテンツ識別情報を抽出できていた場合には、送信部１１７は、コンテンツ識別情報もサーバに送信する。
【０１３５】
次に、図１６〜１８を参照して、サーバの動作について説明する。
【０１３６】
ステップＳ７０１、Ｓ７０３、Ｓ７０５、Ｓ７０７、Ｓ７０８は、実施形態１のサーバが行うステップＳ４０１、Ｓ４０３、Ｓ４０５、Ｓ４０７、Ｓ４０８と同一であるので、重複する説明は省略する。
【０１３７】
ステップＳ７０３で、受信した情報群に事象採番情報が含まれていないと判断された場合には（ステップＳ４０３でＮＯ）、ステップＳ７１１（図１７参照）に進む。
【０１３８】
ステップＳ７０５で、受信した事象識別情報と異なる事象識別情報が受信した事象採番情報と組としてデータベース２１５に既に登録されているのでないと判断された場合には、ステップ７４１（図１８）に進む。
【０１３９】
ステップＳ７１１では、事象採番情報生成部５０２は、事象採番情報を生成する。次に、判断／登録部２１３は、ステップＳ７０１で受信した事象識別情報とステップＳ７１１で生成した事象採番情報を組としてデータベース２１５に登録する（ステップＳ７１３）。次に、課金部７１５はユーザに対して課金する（ステップＳ７１５）。次に、所定時間Ｔ２待った後（ステップＳ７１７）、送信部２１７は、事象採番情報を情報処理装置に送信する（ステップＳ７１９）。
【０１４０】
図１８を参照すると、ステップＳ７４１、Ｓ７４３、Ｓ７４５、Ｓ７４７、Ｓ７４９、Ｓ７５１、Ｓ７５３、Ｓ７５５、Ｓ７５７は、実施形態１のサーバが行うステップＳ４１１、Ｓ４１３、Ｓ４１４、Ｓ４１５、Ｓ４１７、Ｓ４１９、Ｓ４２１、Ｓ４２３、Ｓ４２５と同一であるので、重複する説明を省略する。
【０１４１】
次に、図２０、１９を参照して、情報処理装置の動作の後半部について説明する。
【０１４２】
図２０を参照すると、ステップ６２３の次に、受信部１１９は、事象採番情報をサーバから受信するための動作をする（ステップＳ６２５）。受信できていない場合には（ステップＳ６２７でＮＯ）、ステップＳ６２５に戻る。受信できていた場合には（ステップＳ６２７）、処理を終了する。ステップＳ６２７で終了するのは、ステップＳ６１９で事象採番情報を読み出すことができなかったことが判断された場合、すなわち、事象採番情報をサーバが新たに生成する場合である。
【０１４３】
図１９を参照すると、ステップＳ６２１の次に行われるステップＳ６３１、Ｓ６３３、Ｓ６３５、Ｓ６３７、Ｓ６３９、Ｓ６４１、Ｓ６４３、Ｓ６４５は、実施形態１の情報処理装置が行うステップＳ３２７、Ｓ３２９、Ｓ３３５、Ｓ３３７、Ｓ３３９、Ｓ３４１、Ｓ３４３、Ｓ３４５と同一であるので、重複する説明は省略する。ステップＳ６４５で終了するのは、ステップ６１９で事象採番情報を読み出すことができたことが判断された場合、すなわち、事象採番情報を既にサーバから受信している場合である。
【０１４４】
実施形態２においては、新たな事象識別情報が発生した場合に、サーバが事象採番情報を生成し、所定時間経過後に、サーバが事象採番情報を情報処理装置に送信する。そして、情報処理装置が事象採番情報をサーバから受信した後に、同一の事象識別情報について、入力画像に対する処理の許可及び／又はコンテンツの提供が行われる。従って、書店においてデジタル万引きをしようとする者は、書店に所定時間滞在していないとデジタル万引きをすることができない。しかし、デジタル万引きをする意志を持って書店に所定時間滞在することは、ためらわれることである。従って、デジタル万引きを抑圧することができる。
【０１４５】
一方、書店で正規に書籍を購入した者は、最初に事象採番情報を得るための所定時間要する処理が完了しないと、入力画像に対する処理を行ったり、コンテンツの提供を受けることができないが、その者は書籍を保有しているので、所定時間待つことは、さほど問題とはならない。
【０１４６】
また、所定時間経過しないとサーバが事象採番情報を情報処理装置に送信しないとする代わりに（ステップＳ７１７を実行せずに）、書籍識別情報を書籍の末尾に印刷し、それをスクラッチシート等で覆うようにしてもよい。こうすれば、入力画像に対する処理をしたりコンテンツの提供を受けるためには、スクラッチシートを剥がさなければならない。デジタル万引きをしようとする者が、書店においてスクラッチシートを剥がすことまですることは、現行法においても明らかに違法行為であるので、デジタル万引きを防止することができる。  なお、情報処理装置の電子透かし検出部１０３、処理禁止コード抽出部１０５、書籍識別情報抽出部１０７、コンテンツ識別情報抽出部１０９、ユーザ識別情報入力部１１３、事象採番情報入力部１１５、送信部１１７、受信部１１９、コード抽出部１２１、判断部１２３、処理部１２５、コンテンツ抽出部１２７、コンテンツ所在情報抽出部１２９及びコンテンツアクセス部１３１は、ハードウェアによって実現することも可能であるが、コンピュータをこれらの部分として機能させるためのプログラムをコンピュータが読み込んで実行することによっても実現することが可能である。
【０１４７】
また、サーバの受信部２０１、書籍識別情報抽出部２０３、コンテンツ識別情報抽出部２０５、情報処理装置識別情報抽出部２０７、ユーザ識別情報抽出部２０９、事象採番情報抽出部２１１、判断／登録部２１３、送信部２１７、事象採番情報生成部５０２及び課金部５０３は、ハードウェアによって実現することも可能であるが、コンピュータをこれらの部分として機能させるためのプログラムをコンピュータが読み込んで実行することによっても実現することができる。
【０１４８】
また、上記の実施形態では、カメラ１０１が入力した画像を扱う例をとり説明したが、カメラ１０１が入力した画像の代わりに、例えば、イメージスキャナで読み取った画像、インターネット等のネットワークを介して受信した画像を用いてもよい。
【０１４９】
更に、上記の実施形態では、書籍に印刷されている画像集合体を読み込むとしたが、書籍に印刷されている画像集合体の代わりに、電子画像データの集まりである画像集合体、画像データベースに含まれ画像データの集合である画像集合体を用いてもよい。
【産業上の利用可能性】
【０１５０】
本発明は、不正者によるデジタル万引きの防止、正当購買者による書籍の撮影の許可及び正当購買者に対する書籍の画像に対応付けられたコンテンツの提供に利用することができる。
【図面の簡単な説明】
【０１５１】
【図１】本発明の実施形態１による情報処理装置の構成を示すブロック図である。
【図２】本発明の実施形態１、２による書籍に印刷される電子透かしの構造を説明するための図である。
【図３】本発明の実施形態１による情報処理装置からサーバに送信される情報群の構成のバリエーションを示す図である。
【図４】本発明の実施形態１によるサーバの構成を示すブロック図である。
【図５】本発明の実施形態１による情報処理装置の動作を示す第１のフローチャートである。
【図６】本発明の実施形態１によるサーバの動作を示す第１のフローチャートである。
【図７】本発明の実施形態１によるサーバの動作を示す第２のフローチャートである。
【図８】本発明の実施形態１によるサーバの動作を示す第３のフローチャートである。
【図９】本発明の実施形態１によるサーバの動作を示す第４のフローチャートである。
【図１０】本発明の実施形態１による情報処理装置の動作を示す第２のフローチャートである。
【図１１】本発明の実施形態１による情報処理装置とサーバの動作例を説明するための第１の図である。
【図１２】本発明の実施形態１による情報処理装置とサーバの動作例を説明するための第２の図である。
【図１３】本発明の実施形態２による情報処理装置の構成を示すブロック図である。
【図１４】本発明の実施形態２によるサーバの構成を示すブロック図である。
【図１５】本発明の実施形態２による情報処理装置の動作を示す第１のフローチャートである。
【図１６】本発明の実施形態２によるサーバの動作を示す第１のフローチャートである。
【図１７】本発明の実施形態２によるサーバの動作を示す第２のフローチャートである。
【図１８】本発明の実施形態２によるサーバの動作を示す第３のフローチャートである。
【図１９】本発明の実施形態２による情報処理装置の動作を示す第２のフローチャートである。
【図２０】本発明の実施形態２による情報処理装置の動作を示す第３のフローチャートである。
【符号の説明】
【０１５２】
１０１  カメラ
１０３  電子透かし検出部
１０５  処理禁止コード抽出部
１０７  書籍識別情報抽出部
１０９  コンテンツ識別情報抽出部
１１１  情報処理装置識別情報保持部
１１３  ユーザ識別情報入力部
１１５  事象採番情報入力部
１１７  送信部
１１９  受信部
１２１  コード抽出部
１２３  判断部
１２５  処理部
１２７  コンテンツ抽出部
１２９  コンテンツ所在情報抽出部
１３１  コンテンツアクセス部
２０１  受信部
２０３  書籍識別情報抽出部
２０５  コンテンツ識別情報抽出部
２０７  情報処理装置識別情報抽出部
２０９  ユーザ識別情報抽出部
２１１  事象採番情報抽出部
２１３  判断／登録部
２１５  データベース
２１７  送信部
５０１  事象採番情報保持部
５０２  事象採番情報生成部
５０３  課金部
【図１】
2005151125.tif 000003
【図２】
2005151125.tif 000004
【図３】
2005151125.tif 000005
【図４】
2005151125.tif 000006
【図５】
2005151125.tif 000007
【図６】
2005151125.tif 000008
【図７】
2005151125.tif 000009
【図８】
2005151125.tif 000010
【図９】
2005151125.tif 000011
【図１０】
2005151125.tif 000012
【図１１】
2005151125.tif 000013
【図１２】
2005151125.tif 000014
【図１３】
2005151125.tif 000015
【図１４】
2005151125.tif 000016
【図１５】
2005151125.tif 000017
【図１６】
2005151125.tif 000018
【図１７】
2005151125.tif 000019
【図１８】
2005151125.tif 000020
【図１９】
2005151125.tif 000021
【図２０】
2005151125.tif 000022